(57)【要約】【課題】後カバーがカラー樹脂で形成されたレンズ付きフイルムユニットを提供する。【解決手段】写真フイルム８において、ポリエチレンナフタレートでできている支持体４５の表側には赤感色層５０と、緑感色層５１と、青感色層５２とが支持体側から層設されており、支持体４５の裏側には光を遮断する遮光層４７が除却可能なように層設されている。このため、カラー樹脂で形成された後カバーは光を透過させるが、レンズ付きフイルムユニットの外装体として用いることが可能となる。カラー樹脂は色のラインナップが豊富なためさまざまな色のカバーで覆われたレンズ付きフイルムユニットを提供することが可能となる。【選択図】　　　　図５
2004117954.tif 000002
【特許請求の範囲】
【請求項１】
写真フイルムの支持体の表側に光を感じる乳剤層が層設されているレンズ付きフイルムユニット用写真フイルムにおいて、
前記支持体の裏側に光を遮断する遮光層が除去可能に層設されたことを特徴とするレンズ付きフイルムユニット用写真フイルム。
【請求項２】
写真フイルムの支持体の表側に光を感じる乳剤層が層設されているレンズ付きフイルムユニット用写真フイルムにおいて、
前記支持体の裏側に光を遮断する遮光性フイルムが重ねられたことを特徴とするレンズ付きフイルムユニット用写真フイルム。
【発明の詳細な説明】
【０００１】
【発明の属する技術分野】
本発明は、遮光層が設けられたレンズ付きフイルムユニット用写真フイルムに関するものである。
【０００２】
【従来の技術】
現在、レンズ付きフイルムユニット用写真フイルムとして、１３５タイプのものとＡＰＳタイプのものとがよく用いられている。１３５タイプのものは、金属薄板製のパトローネ本体内に写真フイルムを巻きつけたスプール軸を回転自在に収納し、パトローネ本体内に設けられたフイルム通路にはテレンプと称される遮光材が貼付されている。ＡＰＳタイプのものは、プラスチック製の射出成型部品を組み合わせたカートリッジ本体の中に写真フイルムを巻きつけたスプール軸を回転自在に収納し、カートリッジ本体に形成されたフイルム通路には開閉自在な遮光ドアが設けられている。
【０００３】
１３５タイプのフイルムやＡＰＳタイプのフイルムは、レンズ付きフイルムユニットにもそのまま用いられている。レンズ付きフイルムユニットは、簡単な撮影機構が備えられた本体基部に１３５タイプの写真フイルムまたはＡＰＳタイプの写真フイルムが装填され、この前後を覆うように前カバーと後カバーとが取り付けられている。本体基部の背面側の両端には、カートリッジ室（パトローネ室）とフイルムロール室とが形成されており、カートリッジ室（パトローネ室）にはフイルムカートリッジ（パトローネ）本体が、フイルムロール室にはロール状にされた写真フイルムがそれぞれ収納されている。
【０００４】
前カバーと後カバーとがレンズ付きフイルムユニットに外装されており、特に後カバーは、装填された写真フイルムが撮影レンズ以外から露光されるのを防止する役目を果たしている。このため、後カバーは、レンズ付きフイルムユニット内部を光密に保つようにできている。後カバーがレンズ付きフイルムユニット内部を光密に保つための工夫は、各種なされている。例えば、特開平９−２２２７００号公報では、縁部と溝とを密着させるようにし、フイルムロール室の遮光性を確保する工夫が記載されている。最近では、透明な素材で形成された前カバーを装着するなどのデザイン性豊かなレンズ付きフイルムユニットも登場している。
【０００５】
【発明が解決しようとする課題】
ところで、レンズ付きフイルムユニットの前カバーにはいろいろなカラーのものが存在している。そこでデザインの幅をさらに広げる目的から、後カバーにもカラー樹脂を用いることが行われている。しかし、カラー樹脂で形成された後カバーは、光を透過させてしまう。後カバーを透過した光はフイルム支持体上の感光層に達し、感光層はこの光により感光してしまう。このように後カバーをカラー樹脂で形成すると、撮影以前に写真フイルムが感光してしまい使いものにならなくなってしまうという問題がある。
【０００６】
本発明は上記問題を解決するためになされたものであり、その目的はカラー樹脂で形成された後カバーを透過する光を写真フイルムの感色層に到達しないように遮断することによって、後カバーにカラー樹脂が用いられたレンズ付きフイルムユニットを提供することにある。
【０００７】
【課題を解決するための手段】
上記目的を達成するために、請求項１記載の発明では、支持体の表側に光を感じる乳剤層が層設されているレンズ付きフイルムユニット用写真フイルムにおいて、光を遮断する遮光層が前記支持体の裏側に除去可能に層設されることを特徴とするものである。
【０００８】
また、請求項２記載の発明では、支持体の表側に光を感じる乳剤層が層設されているレンズ付きフイルムユニット用写真フイルムにおいて、支持体の裏側に光を遮断する遮光性フイルムが重ねられたことを特徴とするものである。
【０００９】
【発明の実施の形態】
本発明を実施したレンズ付きフイルムユニット用写真フイルムを内蔵したレンズ付きフイルムユニットの分解斜視図を図１に示す。ユニット本体２は、例えば赤に着色された半透明の前カバー４と赤に着色された半透明の後カバー５とが写真フイルムカートリッジ７と例えば２５枚撮りの写真フイルム８を収納する本体基部１０を覆うように構成されている。フイルムカートリッジ７及び写真フイルム８には、ＡＰＳのＩＸ２４０型式のものが用いられ、写真フイルム８には光を通さない遮光層が層設されている。
【００１０】
本体基部１０の左右には、フイルムカートリッジ室１３およびフイルムロール室１４とが形成されており、そこに写真フイルムカートリッジ７と写真フイルム８とが装填される。フイルムカートリッジ室１３の上部には巻き上げノブ１６が配置され、この巻上げノブ１６の下には写真フイルムカートリッジ７のスプールと係合する軸部材が形成されている。この巻上げノブ１６を図中において反時計方向に回動させることにより、撮影済みの写真フイルム８が写真フイルムカートリッジ７の内部に巻き上げられる。フイルムカートリッジ室１３とフイルムロール室１４との間には撮影レンズ１８から写真フイルム８までの間を光密に保つ暗箱１９が設けられている。撮影レンズ１８の横にはストロボ装置２０が組み付けられる。
【００１１】
本体基部１０の上部には、シャッタボタン２２、カウンタ窓２３が設けられている。カウンタ窓２３からは、本体基部１０に組み込まれた撮影枚数表示板を覗くことができる。周知のように、撮影枚数表示板は本体基部１０に回転自在に組み込まれており、撮影後のフイルム１コマ巻き上げに連動して１歩進し、その都度カウンタ窓２３を通して撮影枚数を確認することができるようになっている
【００１２】
本体基部１０に前カバー４を取り付けたものを背面側から観察した斜視図を図２に示す。本体基部１０の背面側の中央には、写真フイルム８への露出を制限するアパーチャ２８が形成されている。その右側にはフイルムカートリッジ室１３が、左側にはフイルムロール室１４が形成されており、写真フイルムカートリッジ７及び写真フイルム８を収納することができるようになっている。フイルムロール室１４からフイルムカートリッジ室１３にかけて、写真フイルム８が通過するフイルム通路２９が設けられている。フイルム通路２９の表面には、写真フイルム８が給送されるときの摩擦を減らすガイドレール３０が形成されている。フイルムカートリッジ室１３に写真フイルムカートリッジ７が収められ、フイルムロール室１４にロール状に巻かれた写真フイルム８が収められた後、赤色に着色された半透明の後カバー５が本体基部１０に装着される。
【００１３】
レンズ付きフイルムユニットのアパーチャ部分における断面図を図３に示す。
遮光層の層設された写真フイルム８は、本体基部１０と後カバー５とに挟み込まれるようにして収められる。本体基部１０のアパーチャの上部及び下部には、フイルムの給送をスムーズに行うためのガイドレール３０が設けられ、さらに、後カバー５を組み付けるための保持突条３２が２本ずつ備えられている。後カバー５には本体基部１０の保持突条３２に係合するする係合部３５が形成されている。この係合部３５と保持突条３２とが互いに嵌め合わさることで、後カバー５を本体基部１０に組み付けることができる。写真フイルム８は、フイルム通路２９に形成されたガイドレール３０に接するように装着される。写真フイルム８が１コマ巻き上げされるとき、写真フイルム８はガイドレール３０の表面を摺接して移動し、写真フイルムカートリッジ７に巻き込まれる。写真フイルム８の背面から後カバー５が本体基部１０に組み付けられ、写真フイルム８が撓まないように押さえつけている。
【００１４】
図４に示すように写真フイルムカートリッジ７は、ケース本体４０とスプール軸４２とから構成されている。スプール軸４２はケース本体４０に回動自在に組み込まれており、スプール軸４２の表面には写真フイルム８を係合するための切り欠きが形成されている。遮光層の設けられた写真フイルム８の後端側には係合孔があけられスプール軸４２の突起に係合するようになっており、このため写真フイルム８の巻き上げが可能となる。
【００１５】
スプール軸４２は、巻き上げノブ１６と係合するようにフイルムカートリッジ室１３に収納され、このため写真フイルム８の１コマ巻き上げが可能となる。写真フイルム８は後端側から撮影されてゆき、撮影済みの写真フイルム８は写真フイルムカートリッジ７内に巻き込まれてゆく。設定されている枚数をすべて撮り終えると、写真フイルム８は写真フイルムカートリッジ７内にすべて収納された状態となる。また途中で撮影が中止され写真フイルム８が現像に出された場合は、現像所で自動巻き込み処理が行われ、写真フイルム８はやはり写真フイルムカートリッジ７内に収納される。
【００１６】
遮光層の設けられた写真フイルム８の断面図を図５に示す。写真フイルム８は、光を感じる乳剤層と、それを支える支持体４５と、光を遮断する遮光層４７とからおもに構成されている。乳剤層は、赤感色層５０と、緑感色層５１と、青感色層５２とから構成されている。支持体４５に接して赤感色層５０が設けられ、さらにその上には緑感色層５１が層設され、表層には青感色層５２が設けられている。支持体４５の裏側には、遮光層４７が層設されている。支持体４５は、ポリエチレンナフタレートで形成され、遮光層４７は光を遮断する水溶性の染料で形成されている。遮光層４７は後カバーを透過した光を遮断し、これにより表側の３つの感色層が後カバーの透過光によって感光することが防がれている。
【００１７】
写真フイルム８は本体基部１０のアパーチャ２８に装填される。シャッタボタン２２を押下すると、撮影レンズ１８から入射する光により写真フイルム８が露出される。すると３つの感色層が感光して潜像を形成する。撮影を終了した写真フイルム８は、水溶性の遮光層４７を溶かし落としてから現像工程に投入される。
【００１８】
次に上記構成の作用について説明する。遮光層４７の設けられた写真フイルム８は、フイルムの後端側を写真フイルムカートリッジ７内のスプールに係合され、先端側はロール状にされて本体基部１０に収められる。写真フイルム８の装填された本体基部１０には、例えば赤色の半透明な前カバー４と赤色半透明な後カバー５とが装着されている。
【００１９】
遮光層４７の設けられた写真フイルム８を装填したレンズ付きフイルムユニットを用いて撮影を開始し、撮影ごとに巻き上げノブ１６により写真フイルム８をフイルムカートリッジ７に１コマずつ巻き上げてゆく。写真フイルム８を使い切って撮影を完了すると、レンズ付きフイルムユニットは本体ごと現像に出され、現像業者は写真フイルム８のみを抜きとり現像する。また、途中で撮影を中止して写真フイルム８が現像に出されるときも、現像業者は自動巻上げ装置を用いて写真フイルム８を写真フイルムカートリッジ７に巻き上げてから、写真フイルム８が取り出される。写真フイルム８の抜き取られたレンズ付きフイルムユニットは指定の工場に送られ、そこでリサイクル工程に投入される。
【００２０】
取り出された写真フイルム８の現像工程において、まずはじめに写真フイルム８は水に浸され遮光層４７がきれいに洗い落とされる。遮光層４７の除去が完了すると、従来の写真フイルムの現像工程と同じ工程が写真フイルム８に行われる。
【００２１】
上記の実施例では、フイルムの支持体の裏側に水溶性の塗料を塗布して遮光層４７を形成したが、本発明ではこれに限らず図６に示すように遮光フイルム５７を設けるようにすることもできる。写真フイルム６０は、撮影レンズからの光によって感光する感光フイルム６１と、後カバーを透過した光を遮断する遮光フイルム５７とから構成される。感光フイルム６１と遮光フイルム５７とは重ねられ、その後端側はフイルムカートリッジ６３内のスプールに繋ぎ止められ、先端側はロール状にされて本体基部に収納される。また、写真フイルム６０の現像は遮光フイルム５７を剥離して除去することにより行うことが可能となる。このように感光フイルム６１と遮光フイルム５７とで写真フイルム６０を構成しても、例えば赤色半透明なプラスチックで形成された後カバーを用いることができる。
【００２２】
また、本実施例ではＡＰＳタイプの写真フイルムに遮光層を設けたが、１３５タイプの写真フイルムに実施することも可能である。
【００２３】
【発明の効果】
以上のように本発明の遮光層の設けられたレンズ付きフイルムユニット用写真フイルムによれば、写真フイルムに遮光層を設けることにより後カバーを透過した光を遮断することができる。このため光を透過させてしまうような材料で後カバーを形成することが可能となり、明るい色のカラー樹脂などで後カバーを形成することも可能となる。これにより後カバーの色の種類が豊富なレンズ付きフイルムユニットを提供することが可能となる。また、遮光層の設けられた写真フイルムが用いられたレンズ付きフイルムユニットには、遮光層の設けられていない写真フイルムを装填することはできない。このため、通常のフイルムしか持たない第三者による不正な詰め替えを防止することができる。
【図面の簡単な説明】
【図１】本発明を実施したレンズ付きフイルムユニット用写真フイルムが装填されたレンズ付きフイルムユニットの分解斜視図である。
【図２】図１に示したレンズ付きフイルムユニットを背面側から観察した斜視図である。
【図３】図１に示したレンズ付きフイルムユニットのアパーチャ部分における断面図である。
【図４】本発明のレンズ付きフイルムユニット用写真フイルムの斜視図である。
【図５】本発明のレンズ付きフイルムユニット用写真フイルムの断面図である。
【図６】感光フイルムと遮光フイルムとから構成されるレンズ付きフイルムユニット用写真フイルムの斜視図である。
【符号の説明】
５　後カバー
７　写真フイルムカートリッジ
８　写真フイルム
１０　本体基部
２８　アパーチャ
４５　支持体
４７　遮光層
５０　赤感色層
５１　緑感色層
５２　青感色層
【図１】
2004117954.tif 000003
【図２】
2004117954.tif 000004
【図３】
2004117954.tif 000005
【図４】
2004117954.tif 000006
【図５】
2004117954.tif 000007
【図６】
2004117954.tif 000008